(57)【要約】【課題】携帯端末を使用するインターホンシステムでは、携帯端末が常時インターホンの着信を監視しているため、携帯端末のＣＰＵに大きな負荷を与え、動作が不安定になっているとともに、他のアプリとの連携を行なうことができなかった。【解決手段】呼出時にはインスタントメッセンジャー、ＳＮＳの通知機能を利用することで、携帯端末におけるインターホン以外の常駐ソフトを用いて呼出を行ない、通話時にインターホン用のアプリケーションを起動することで携帯端末のＣＰＵ負荷を軽減することができる。【選択図】図１
2014187560.tif 000002
【特許請求の範囲】
【請求項１】
来訪者の呼出操作により呼出信号の送信を行うための玄関子機（１）と、呼出信号を受信して呼出を居住者に通知する居室親機（２）と、居住者が携帯する携帯電話、タブレット等の携帯端末（５）から構成されるインターホンシステムであって、
前記玄関子機には、呼出操作により玄関の近傍の撮像を行うカメラ（１６）と、前記カメラで撮像した映像を前記居室親機に送信する子機ＣＰＵ（１１）を備え、
前記居室親機には、前記玄関子機の前記カメラで撮像した画像を呼出信号とともにインスタントメッセンジャーのサーバ、ＳＮＳサーバ等の外部サーバ（４）に送信する親機ＣＰＵ（２１）を備え、
前記外部サーバには、画像データを前記携帯端末に送信する、あるいは画像データを外部サーバ記憶部（４２）に記憶して画像データを読出すためのＵＲＬを前記携帯端末に送信する、のいずれかの動作を行なうとともに、受信した呼出信号をメッセージとして前記携帯端末に送信する外部サーバＣＰＵ（４１）を備え、
前記携帯端末では、前記メッセージを受信する端末ＣＰＵ（５１）と、前記画像データを読出すためのＵＲＬ、あるいは前記画像データのいずれかを表示する通知部（５５）を備えたことを特徴とするインターホンシステム。
【請求項２】
画像を受信した後に画像の比較を行なってから前記外部サーバに送信するインターホンサーバ（３）を備え、
前記親機ＣＰＵは、前記外部サーバに代えて、前記インターホンサーバに画像を送るものであって、
前記インターホンサーバには、不審者等の比較の対象となる画像を保存するためのインターホンサーバ記憶部（３２）と、前記居室親機から送られた画像を前記外部サーバに転送するとともに、撮像された人物が前記比較の対象となる画像の人物と一致したら、前記居室親機及び前記携帯端末の少なくとも１つに警報信号を送信するインターホンサーバＣＰＵ（３１）を備えたことを特徴とする請求項１記載のインターホンシステム。
【請求項３】
前記端末ＣＰＵは、前記居室親機及び前記玄関子機の少なくとも１つに通話を行うために、前記外部サーバ及び前記インターホンサーバのいずれも介することなく通話路を確立することを特徴とする請求項１または請求項２記載のインターホンシステム。
【請求項４】
前記外部サーバは、前記携帯端末への前記通知をＰＵＳＨ配信による通信で行う機能を備えたことを特徴とする請求項１乃至請求項３いずれか１項記載のインターホンシステム。
【発明の詳細な説明】
【技術分野】
【０００１】
本発明は、外部の携帯端末で玄関子機からの呼出を通知するインターホンシステムに関する。
【背景技術】
【０００２】
従来から、この種のインターホンとして、インターホンアプリ（登録商標）をスマートホンにインストールして使用するインターホンシステムが知られている。例えば特許文献１の［０００９］において、玄関子機からの呼出に対して居室親機から呼出信号が携帯電話に送信され、携帯電話は居室親機から呼出信号を受信する。
【先行技術文献】
【特許文献】
【０００３】
【特許文献１】特開２０１１−９７３８１号公報
【発明の概要】
【発明が解決しようとする課題】
【０００４】
しかしながら、従来のインターホンシステムでは、常にインターホンアプリを起動させ、居室親機からの呼出信号を監視しているため、スマートホンのＣＰＵに常時負荷がかかることとなり、スマートホンの動作を不安定にする要因となっているとともに、他のインスタントメッセンジャー等のアプリケーションとの連携がなく、使い勝手が悪いものであった。
【０００５】
本発明は、上述の難点を解消するためになされたもので、スマートホンにインストールされているＬＩＮＥ等のインスタントメッセンジャーを介して玄関子機の撮像画像の新着を通知することにより、専用のアプリケーションを使用することなくインターホンシステムの情報を携帯電話でリアルタイムに得ることができる。
【課題を解決するための手段】
【０００６】
この目的を達成するため、本発明によるインターホンシステムは、玄関子機と、居室親機と、居住者が携帯する携帯電話、タブレット等の携帯端末から構成され、玄関子機には、呼出操作を受けて玄関先の撮像を行うカメラと、カメラで撮像した映像を居室親機に送信する子機ＣＰＵを備え、居室親機には、玄関子機のカメラで撮像した画像を呼出信号とともにインスタントメッセンジャーのサーバ、ＳＮＳサーバ等の外部サーバに送信する親機ＣＰＵを備え、外部サーバには、画像データを携帯端末に送信する、あるいは画像データを外部サーバ記憶部に記憶して画像データを読出すためのＵＲＬを携帯端末に送信する、のいずれかの動作を行なうとともに、受信した呼出信号をメッセージとして携帯端末に送信する外部サーバＣＰＵを備え、携帯端末では、メッセージを受信する端末ＣＰＵと、画像データを読出すためのＵＲＬ、あるいは画像データのいずれかを表示する通知部を備えたことを特徴とするものである。
また、本発明によるインターホンシステムは、当該インターホンシステムにおいて、画像を受信した後に画像の比較を行なってから外部サーバに送信するインターホンサーバを備え、親機ＣＰＵは、外部サーバに代えて、受信した画像をインターホンサーバに送るものであって、インターホンサーバには、不審者等の比較対象画像を保存するためのインターホンサーバ記憶部と、居室親機から送られた画像を外部サーバに転送するとともに、撮像された人物が比較の対象となる画像の人物と一致したら、居室親機及び携帯端末の少なくとも１つに警報信号を送信するインターホンサーバＣＰＵを備えたものである。
また、本発明によるインターホンシステムは、当該インターホンシステムにおいて、端末ＣＰＵは、居室親機及び玄関子機の少なくとも１つに通話を行うために、外部サーバ及びインターホンサーバのいずれも介することなく通話路を確立するものである。
また、本発明によるインターホンシステムは、当該インターホンシステムにおいて、外部サーバは、携帯端末への通知をＰＵＳＨ式の通信で行う機能を備えたものである。
【発明の効果】
【０００７】
本インターホンシステムによれば、撮像した映像を居室親機からインスタントメッセンジャーを管理する外部サーバにアップロードし、外部サーバから当該インスタントメッセンジャーを介して画像の受信を通知することにより、専用のアプリケーションを使用することなくインターホンシステムの情報を携帯電話でリアルタイムに得ることができ、携帯端末のＣＰＵ負荷を低減することができる。
また、本インターホンシステムによれば、撮像した映像を居室親機から一旦インターホンサーバに送信し、不審者であるか否かを比較した後に外部サーバにアップロードするため、不審者に該当すると居室親機に警報を鳴動する機能を中間のサーバを１台追加するのみで、携帯端末、外部サーバを改変することなく容易に実現できる。
また、本インターホンシステムによれば、携帯端末から玄関子機に通話する際にインターホンアプリを起動して、サーバを介さず直接通話路を確立できるため、サーバの負荷を低減することができる。
また、本インターホンシステムによれば、携帯端末へリアルタイムに画像の受信を通知することができるため、携帯端末から定期的に着信の有無を確認する必要がなく、携帯端末のＣＰＵ負荷をさらに低減することができる。
【図面の簡単な説明】
【０００８】
【図１】図１は、本発明の実施例によるインターホンシステムの全体構成を示す構成図である。
【発明を実施するための形態】
【０００９】
以下、本発明のインターホンシステムを適用した最良の実施の形態例について、図面を参照して説明する。図１は、本発明の一実施例によるインターホンシステムの全体構成を示す構成図であり、住戸の玄関に設置されて、室内の居室親機を呼び出すとともに、玄関周辺の映像を撮像する玄関子機１と、玄関子機１からの呼出を報知するとともに玄関子機１と通話し、また玄関子機１で撮像された映像を受信する居室親機２と、居室親機２で受信した映像から不審者の画像を監視するインターホンサーバ３と、インスタントメッセンジャーのサーバ、ＳＮＳサーバ等の外の管理サーバであり、画像を記憶可能となっている外部サーバ４と、外部サーバ４からの通知により画像が閲覧可能となる、居住者が携帯する携帯電話、タブレット端末やスマートフォン等の携帯端末５を備えている。
なお、居室親機２、インターホンサーバ３、外部サーバ４、携帯端末５は、有線ＬＡＮ、無線ＬＡＮ等の汎用ネットワークＬにより接続されている。
【００１０】
玄関子機１には、居室親機２と通話するための子機スピーカ１２、子機マイク１３と、呼出ボタンなど、居室親機２を呼び出すための子機操作部１４と、玄関子機１の近傍に人物が接近したことを検知するセンサ１５と、玄関子機近傍を撮像するカメラ１６と、玄関子機１の各部を制御する子機ＣＰＵ１１と、居室親機２との通信を制御するための子機通信Ｉ／Ｆ１０とを備えている。
居室親機２には、玄関子機１からの呼出及び通話、インターホンサーバ３からの警報を報知するための親機スピーカ２２と、玄関子機１への通話を行なう親機マイク２３と、玄関子機１との通話操作及びインターホンサーバ３の警報内容の設定操作等の操作を行なう親機操作部２４と、玄関子機１で撮像された映像を表示する親機ディスプレイ２５と、居室親機２の各部を制御する親機ＣＰＵ２１と、玄関子機１及び汎用ネットワークＬとの通信を制御するための親機通信Ｉ／Ｆ２０とを備えている。
【００１１】
インターホンサーバ３には、不審者の画像を記憶するとともに、外部サーバ４との接続のための認証プロトコル情報を記憶するインターホンサーバ記憶部３２と、インターホンサーバ３の各部を制御するインターホンサーバＣＰＵ３１と、汎用ネットワークＬとの通信を制御するためのインターホンサーバ通信Ｉ／Ｆ３０とを備えている。
外部サーバ４は、ＬＩＮＥやＦＡＣＥＢＯＯＫ（登録商標）等、インスタントメッセンジャー、ＳＮＳのサーバとしての機能の一部として、ユーザーの登録情報や投稿された画像を記憶する外部サーバ記憶部４２と、外部サーバ４の各部を制御する外部サーバＣＰＵ４１と、汎用ネットワークＬとの通信を制御するための外部サーバ通信Ｉ／Ｆ４０とを備えている。
【００１２】
携帯端末５には、玄関子機１との通話操作及びインターホンサーバ３の警報内容の設定操作等の操作を行なう端末操作部５４と、玄関子機１が撮像した映像やメッセージを表示する通知部としての端末ディスプレイ５５と、携帯端末５の各部を制御する端末ＣＰＵ５１と、汎用ネットワークＬとの無線通信を行なうための端末アンテナ５２と、携帯端末５の機器各部と端末アンテナ５２とのインターフェースである端末通信Ｉ／Ｆ５０とを備えている。
また、汎用ネットワークＬには、携帯端末５との無線通信を行なうための無線ＬＡＮアンテナ６とを備えている。
このように構成された本発明の一実施例によるインターホンシステムにおいて、以下、その動作について説明する。
【実施例１】
【００１３】
まず、玄関子機からの呼出、通話操作について説明する。図１の構成図において、子機操作部１４を押下すると、子機操作部１４の呼出操作を検出した子機ＣＰＵ１１は、子機通信Ｉ／Ｆ１０を介して居室親機２に呼出信号を送信するとともに、カメラ１６に対して撮像開始を指示し、カメラ１６で撮像した玄関周辺の映像を呼出信号と同様の経路で送信する。
居室親機２では、親機通信Ｉ／Ｆ２０を介して呼出信号を受信した親機ＣＰＵ２１が親機スピーカ２２を介して呼出音を鳴動するとともに、親機ディスプレイ２５にカメラ１６で撮像した映像を表示する。さらに、親機通信Ｉ／Ｆ２０、汎用ネットワークＬを介してインターホンサーバ３に対して呼出信号及び撮像した映像を送信する。
【００１４】
インターホンサーバ３では、インターホンサーバ通信Ｉ／Ｆ３０を介して呼出信号を受信したインターホンサーバＣＰＵ３１が、インターホンサーバ記憶部３２に保存されている不審者の画像と、カメラ１６で撮像した玄関周辺の映像とを比較し、比較の対象となる映像が不審者のものと一致すれば、居室親機２に対して警報信号を送信する。警報信号を受信した居室親機２は、親機スピーカ２２を介して警報音を鳴動するとともに、親機ディスプレイ２５に警報メッセージを表示することにより、居住者に対して来客を通知する。
【００１５】
また、当該映像が不審者のものでなければ、映像を外部サーバ４に転送するために、インターホンサーバ記憶部３２から外部サーバ４との接続のための認証プロトコル情報を読出し、外部サーバ４の管理するインスタントメッセンジャー、ＳＮＳ等の認証プロトコルを用いて外部サーバ４と接続し、インターホンサーバ通信Ｉ／Ｆ３０を介して映像を転送する。
外部サーバ４は、所定の認証プロトコルによるインターホンサーバ３からのアクセスを外部サーバ記憶部４２の内容と比較してログイン処理を行ない、アップロードされてきた画像を外部サーバ記憶部４２に保存し、画像データを添付したメッセージ、あるいは画像の到着を伝えるメッセージを外部サーバ通信Ｉ／Ｆ４０、汎用ネットワークＬ、無線ＬＡＮアンテナ６を介して携帯端末５に送信する。
【００１６】
例えば外部サーバ４がＬＩＮＥのサーバであれば、ログイン後に、インターホンサーバ３が画像データとともにインターホンサーバ記憶部３２に保存されているメッセージ送信先のアカウント（又はグループ）を通知し、外部サーバ４の外部サーバＣＰＵ４１は指定されたアカウント（又はグループ）に対して画像データを含むメッセージ送信を行なう。このとき、インターホンサーバ記憶部３２に保存されているメッセージ送信先に少なくとも携帯端末５を含んでいれば、携帯端末５に画像データを含むメッセージが送信される。
【００１７】
また、例えば外部サーバ４がＦＡＣＥＢＯＯＫのサーバであれば、ログイン後に、インターホンサーバ３が画像データを送信し、外部サーバ４の外部サーバＣＰＵ４１はＦＡＣＥＢＯＯＫのサーバに画像データの投稿を行なうとともに、予め定められ外部サーバ４の外部サーバ記憶部４２に記憶された転送先に対して新着画像の到着を画像保存場所のＵＲＬとともに通知する。このとき、外部サーバ記憶部４２に保存されている通知先に少なくとも携帯端末５を含んでいれば、携帯端末５に画像データの到着を通知するメッセージが送信される。
携帯端末５は、予めインスタントメッセンジャー、ＳＮＳ等のアプリケーションがインストールされ、メッセージがサーバからのＰＵＳＨ配信により、携帯端末５側から新着確認を行なわなくても常時受信できるようになっている。このＰＵＳＨ配信の機能は前述のアプリケーションに予め備えられている機能であり、これにより携帯端末５の負荷が増大することはない。
端末アンテナ５２及び端末通信Ｉ／Ｆ５０を介して外部サーバ４からのメッセージを受信すると、端末ＣＰＵ５１はメッセージの発信元を確認し、当該メッセージが居室親機２からのものであることを確認すると、インターホンの呼出音を模した音を着信音として図示しないスピーカから鳴動し、来客の来訪を通知する。また、メッセージに画像ファイルが添付されている場合には端末ディスプレイ５５に添付された来訪者の画像を表示し、メッセージに画像保存場所のＵＲＬを含んでいれば、端末ディスプレイ５５に画像のＵＲＬを表示する。
【００１８】
来客の来訪を着信音により認知した携帯端末５の保有者は、端末ディスプレイ５５に表示された来客の画像を確認し、あるいは端末ディスプレイ５５に表示されたＵＲＬをクリックして来客の画像をダウンロードして確認することにより、この呼出に応答すべきか否かを判断し、応答すべきと判断した場合には端末操作部５４を操作してインターホン用のアプリケーションを起動する。端末ＣＰＵ５１はインターホン用のアプリケーションの起動を確認し、端末通信Ｉ／Ｆ５０、端末アンテナ５２、無線ＬＡＮアンテナ６、汎用ネットワークＬを介して、居室親機２に通話要求信号を送信する。このとき、インターホンサーバ３及び外部サーバ４のいずれも介することはなく、携帯端末５から直接居室親機２に通話要求信号を送信する。
【００１９】
居室親機２では、親機通信Ｉ／Ｆ２０を介して通話要求信号を受信した親機ＣＰＵ２１が携帯端末５の図示しない通話部と玄関子機１の子機マイク１３、子機スピーカ１２との通話路を確立し、玄関子機１と携帯端末５が通話を行なうことができる。
また、カメラ１６で撮像した映像は、通話中においてはインターホンサーバ３及び外部サーバ４のいずれも介さず直接携帯端末５に送信し、携帯端末５では通話開始時に起動したインターホン用のアプリケーションを用いて動画でリアルタイムの通話を行なうことができる。
【実施例２】
【００２０】
第１の実施例では、呼出及び通話について説明したが、第２の実施例では玄関子機付近で不審者を検知して威嚇する実施例について説明する。
図１の構成図において、センサ１５において一定時間人物を検知すると、センサ１５の検知を検出した子機ＣＰＵ１１は、子機通信Ｉ／Ｆ１０を介して居室親機２に検知信号を送信するとともに、カメラ１６に対して撮像開始を指示し、カメラ１６で撮像した玄関周辺の映像を第１の実施例の呼出信号と同様の経路で送信する。
居室親機２では、親機通信Ｉ／Ｆ２０を介して検知信号を受信した親機ＣＰＵ２１が親機スピーカ２２を介して検知音を鳴動するとともに、親機ディスプレイ２５にカメラ１６で撮像した映像を表示する。さらに、親機通信Ｉ／Ｆ２０、汎用ネットワークＬを介してインターホンサーバ３に対して検知信号及び撮像した映像を送信する。
【００２１】
インターホンサーバ３では、インターホンサーバ通信Ｉ／Ｆ３０を介して検知信号を受信したインターホンサーバＣＰＵ３１が、インターホンサーバ記憶部３２に保存されている不審者の画像と、カメラ１６で撮像した玄関周辺の映像とを比較し、当該映像が不審者のものであれば、居室親機２に対して警報信号を送信する。警報信号を受信した居室親機２は、親機スピーカ２２を介して警報音を鳴動するとともに、親機ディスプレイ２５に警報メッセージを表示する。
さらに、インターホンサーバＣＰＵ３１は、第１の実施例と同様の経路で外部サーバ４を介して携帯端末５に警報信号を送信する。このとき、外部サーバ４では呼出信号と警報信号の区別をすることができないため、インターホンサーバＣＰＵ３１は、メッセージの文面に「不審者」という文字列を含めたメッセージを送信することにより警報であることを伝達する。
【００２２】
携帯端末５の端末ＣＰＵ５１はメッセージの発信元を確認し、当該メッセージが居室親機２からのものであり、かつ文面に「不審者」の文字があることを確認すると、インターホンの警報音を模した音を着信音として図示しないスピーカから鳴動し、不審者の来訪を通知する。また、メッセージに画像ファイルが添付されている場合には端末ディスプレイ５５でファイルに添付された不審者の画像を表示し、メッセージに画像保存場所のＵＲＬを含んでいれば、端末ディスプレイ５５で画像のＵＲＬを表示する。
【００２３】
不審者の来訪を着信音により認知した携帯端末５の保有者は、端末ディスプレイ５５に表示された不審者の画像を確認し、あるいは端末ディスプレイ５５に表示されたＵＲＬをクリックして来客の画像をダウンロードして確認することにより、この警報に応答すべきか否かを判断し、応答すべきと判断した場合には端末操作部５４を操作してインターホン用のアプリケーションを起動する。端末ＣＰＵ５１はインターホン用のアプリケーションの起動を確認し、端末通信Ｉ／Ｆ５０、端末アンテナ５２、無線ＬＡＮアンテナ６、汎用ネットワークＬを介して居室親機２に通話要求信号を送信する。
居室親機２では、第１の実施例と同様に動画でリアルタイムの通話を行なうことができる。
【００２４】
さらに、インターホン用のアプリケーションにおいて、端末操作部５４で所定の操作を行なうと、警告用のメッセージを送信することができ、自らの肉声の他に、インターホンサーバ記憶部３２に記憶された音声、例えば低い男声で「お引き取りください」「監視しています」等の警告音声を送信することもできる。
【産業上の利用可能性】
【００２５】
なお、本実施例では不審者監視用のサーバが備えられているが、このサーバを不要とし、居室親機から直接外部サーバに接続すると、機能は減るもののシステムを小型化することができる。
また、インターホン用のアプリケーションは通話の他に映像伝送も可能となっているが、通話機能のみとすることも好適である。
また、警報モードで起動したインターホンアプリにおいて、携帯端末からの音声を伝達せず、インターホンサーバ記憶部に記憶されたメッセージのみを送信するようにすれば、携帯端末の保有者の肉声を聞かれることがなく、セキュリティが向上する。
また、本実施例ではメッセージの発信元や文面から着信音を変えるようになっているが、着信音を変えなくとも表示された文面で応答すべきかどうかを確認することで同様の効果を奏することができ、この場合にはインスタントメッセンジャー、ＳＮＳ等のアプリケーションの設定を変えることなく簡便に使用することができる。
さらに、本実施例ではインターホン用のアプリケーションを通話のために使用しているが、これに限らず、一般的なテレビ電話の機能を使用して携帯端末と玄関子機で通話を行なうことも好適であり、さらには、通話機能は玄関子機と居室親機間のみに限定し、携帯端末に対しては呼出通知、及び警報通知を行なうのみであれば、携帯端末の通話機能そのものが不使用となり、最低限のアプリケーションで動作することができる。
【符号の説明】
【００２６】
１          玄関子機
１１        子機ＣＰＵ
１６        カメラ
２          居室親機
２１        親機ＣＰＵ
３          インターホンサーバ
３１        インターホンサーバＣＰＵ
３２        インターホンサーバ記憶部
４          外部サーバ
４１        外部サーバＣＰＵ
４２        外部サーバ記憶部
５          携帯端末
５１        端末ＣＰＵ
５５        端末ディスプレイ（通知部）
【図１】
2014187560.tif 000003